(57)【要約】【課題】照明器具の改造工事において、蛍光管用ソケットを外した場所を特に加工することなく簡単に取り付けられるＬＥＤランプ用のソケットを提供する。【解決手段】ソケット１０は、その基部側に、照明器具４０のソケット固定板３０に対応したスリット溝２１が形成されたアタッチメント２０を着脱可能に装着する構造にしている。【選択図】図１
2014093232.tif 000002
【特許請求の範囲】
【請求項１】
照明器具のベースに取り付けたソケット固定板に対応した一対のスリット溝を有し、前記スリット溝によって前記ソケット固定板を挟み込むことよって、前記ベースに着脱可能に装着される、直管形ＬＥＤランプ用給電ソケットにおいて、
前記ソケットは、その基部側に、前記スリット溝が形成されたアタッチメントを着脱可能に装着する構造にしている、直管形ＬＥＤランプ用給電ソケット。
【請求項２】
請求項１において、
前記ソケットは、前記基部の両側に、アタッチメント嵌合凹所を有しており、
前記アタッチメントは、一対のものが、前記アタッチメント嵌合凹所の各々に着脱可能に装着される、直管形ＬＥＤランプ用給電ソケット。
【請求項３】
請求項１において、
前記ソケットは、前記基部の３方の周囲を取り囲む形状に形成されたアタッチメント嵌合凹所を有しており、
前記アタッチメントは、コ字状に連結されたものが、前記アタッチメント嵌合凹所に着脱可能に装着される、直管形ＬＥＤランプ用給電ソケット。
【請求項４】
前記ベースの両端の前記ソケット固定板のそれぞれに、請求項１〜３のいずれかに記載された直管形ＬＥＤランプ用給電ソケットが固定された、照明器具。
【発明の詳細な説明】
【技術分野】
【０００１】
本発明は、直管形ＬＥＤランプに好適に使用されるＬＥＤランプ用給電ソケットの改良及び、これを用いた照明器具に関する。
【背景技術】
【０００２】
近時、省エネ志向の高まりから、従来の蛍光管照明器具に代わるものとして、ＬＥＤ照明器具が普及し始めているが、施設や住宅のリフォーム等では、直管形蛍光管を用いた室内用照明器具を、既設の蛍光管の替わりに、蛍光管と同様の外観を有したＬＥＤランプを用いることができるように改造する試みがなされている。
【０００３】
そのような改造では、蛍光管ランプ用ソケットを、ＬＥＤランプ用のものに交換するとともに、交換した後のソケットを通じてＬＥＤランプに適切な電源が供給されるように、配線あるいは電源部を改造するやり方が望ましい。しかしながら従来の蛍光管用ソケットは、受金部を除いた部分、例えば照明器具に対する固定部分等の形状や寸法は特に規格化されておらず、種々のものが存在している。そのため照明器具に最初から取り付けられている蛍光管用ソケットを、ＬＥＤランプ用給電ソケットに交換する作業は一般に非常に手間がかかる。
【０００４】
このような問題に対処した従来技術の例として、例えば次の特許文献には、従来の蛍光管ランプ用のソケットに装着できるようにした口金部を採用した直管形ＬＥＤランプの記載がある。このようなＬＥＤランプを用いれば、照明器具のソケットをそのまま使用でき、そのソケットを通じてＬＥＤランプに適切な電源が供給されるように、配線あるいは電源部のみを改造するだけでよいので、作業が非常に簡単になる。
【先行技術文献】
【特許文献】
【０００５】
【特許文献１】実登3142652号公報
【発明の概要】
【発明が解決しようとする課題】
【０００６】
しかしながら上記のような改造で蛍光管ランプ用ソケットをそのまま使った場合、そのソケットは経年変化等で傷んだ部分が破損したり、発煙、発火したりする危険性がある。そこで本発明は、そのような危険を根本的に防止すべく、ソケットの固定部分の形状や寸法が異なる複数種別の照明器具に対して共通に使用できる、つまり蛍光管用ソケットを外した場所を特に加工することなく簡単に取り付けられるＬＥＤランプ用のソケットを提供することを目的とする。
【課題を解決するための手段】
【０００７】
本発明は、照明器具のベースに取り付けたソケット固定板に対応した一対のスリット溝を有し、前記スリット溝によって前記ソケット固定板を挟み込むことよって、前記ベースに着脱可能に装着される、直管形ＬＥＤランプ用給電ソケットにおいて、前記ソケットは、その基部側に、前記スリット溝が形成されたアタッチメントを着脱可能に装着する構造にしている。
【０００８】
前記ソケットは、前記基部の両側に、アタッチメント嵌合凹所を有しており、前記アタッチメントは、一対のものが、前記アタッチメント嵌合凹所の各々に着脱可能に装着されるようにしてもよい。
【０００９】
前記ソケットは、前記基部の３方の周囲を取り囲む形状に形成されたアタッチメント嵌合凹所を有しており、前記アタッチメントは、コ字状に連結されたものが、前記アタッチメント嵌合凹所に着脱可能に装着されるようにしてもよい。
【００１０】
本発明による照明器具は、前記ベースの両端の前記ソケット固定板のそれぞれに、前記直管形ＬＥＤランプ用給電ソケットが固定されている。
【発明の効果】
【００１１】
本発明によれば、スリット溝の幅や長さ寸法等を予め異ならせた複数種別のアタッチメントを用意しておけば、そのアタッチメントを給電用ソケット本体に付け替えるだけで、ソケット固定板の厚み等が異なる種々の照明器具に容易に対応できる。したがって、照明器具の改造現場では、アタッチメントを適宜選択することによって、その照明器具に適合するソケットを得ることができ、照明器具に適合する形状等が異なる何種類ものソケットを工事現場に持ち運ばなくて済むようになる。
【００１２】
またソケット製造業者も、形状等が異なる何種類ものソケットを製造せずに済むので、ソケットの製造コストも抑えられる。
【図面の簡単な説明】
【００１３】
【図１】本発明によるＬＥＤランプ用給電ソケットの第一の実施形態を示しており、（ａ）は前方側から見た全体斜視図、（ｂ）は後方側から見た全体斜視図である。
【図２】第一の実施形態における給電ソケットの本体部のみを示しており、（ａ）は前方側から見た斜視図、（ｂ）は後方側から見た斜視図である。
【図３】第一の実施形態において、アタッチメントの装着要領を示す説明図である。
【図４】第一の実施形態に対応したアタッチメントを示す正面図（ａ）、左側面図（ｂ）、平面図（ｃ）である。
【図５】第一の実施形態に対応したアタッチメントの他例を示す正面図（ａ）、左側面図（ｂ）、平面図（ｃ）である。
【図６】第一の実施形態に対応したアタッチメントの更なる他例を示す正面図（ａ）、左側面図（ｂ）、平面図（ｃ）である。
【図７】第一の実施形態に対応したアタッチメントの更なる他例を示す正面図（ａ）、左側面図（ｂ）、平面図（ｃ）である。
【図８】（ａ）、（ｂ）は、それぞれ図４、図５に示したアタッチメントを装着した第一の実施形態の正面図である。
【図９】（ａ）、（ｂ）は、それぞれ図６、図７に示したアタッチメントを装着した第一の実施形態の正面図である。
【図１０】第二の実施形態におけるアタッチメントの装着要領を示す斜視図であり、（ａ）は装着前、（ｂ）は装着後を示している。
【図１１】第三の実施形態におけるアタッチメントの装着要領を示す斜視図であり、（ａ）は装着前、（ｂ）は装着後を示している。
【図１２】受金部の形状を異ならせたＬＥＤランプ用給電ソケットの正面図であり、（ａ）は給電側ソケット、（ｂ）はアース側ソケットに使用される。
【図１３】本発明によるＬＥＤランプ用給電ソケットの更なる他の実施形態を前方側から見た全体斜視図（ａ）と、後方側から見た全体斜視図（ｂ）である。
【図１４】図１３の実施形態において、アタッチメントの装着要領を示す斜視図である。
【図１５】本発明によるＬＥＤランプ用給電ソケットの更なる他の実施形態を示しており、（ａ）は前方側から見たアタッチメント装着前の全体斜視図、（ｂ）は前方側から見たアタッチメント装着後の全体斜視図である。
【図１６】本発明によるＬＥＤランプ用給電ソケットの更なる他の実施形態を示しており、（ａ）は後方側から見たアタッチメント装着前の全体斜視図、（ｂ）は後方側から見たアタッチメント装着後の全体斜視図である。
【図１７】受金部の形状を異ならせた給電用ソケットの組合せ例を示した正面図であり、（ａ）は給電側、（ｂ）はアース側に使用される。
【図１８】本発明による照明器具の一例を示す斜視図である。
【発明を実施するための形態】
【００１４】
図１に、本発明による直管形ＬＥＤランプ用給電ソケット（以下、単にソケットと呼ぶ）の一実施形態を示す。ソケット１０は、従来のＧ１３型口金を有した直管形蛍光管ランプの代替品とされるＬＥＤランプに対応するものであり、そのような代替を行うために照明器具を改造する際、照明器具に元々固定されていたソケットと交換して使用される。
【００１５】
照明器具４０では、一本のＬＥＤランプ５０に対して、このようなソケット１０を給電側、アース側として一対宛用いる（図１８参照）。すなわち、照明器具４０の筐体４１（ベース）に設けられたソケット固定板３０の表面に、一対のソケット１０がＬＥＤランプ５０の全長に対応した間隙で対向して配置され、これらのソケット１０がＬＥＤランプ５０を両側から保持する。なお図１では、見易さのために、ソケット固定板３０を破線によって示している。
【００１６】
ソケット１０は、ＬＥＤランプ５０の両端に設けられた口金部６０の一方に適合する受金部１１と、この受金部１１が固定された本体部１２と、照明器具４０のソケット固定板３０を挟み込んで保持するスリット溝２１が形成されたアタッチメント２０とを備えている。アタッチメント２０は着脱可能な交換式になっており、各種寸法のものが予め用意されている。よって、スリット溝２１の幅がソケット固定板３０の厚みｄに適合し、かつ、アタッチメント２０を本体部１２に装着したときに、アタッチメント２０のスリット溝２１同士の間隙が切欠き部３１の横幅ｗに適合するようにアタッチメント２０を選択すれば、ソケット１０をソケット固定板３０の切欠き部３１にスライド挿入したときに、スリット溝２１が切欠き部３１の周縁を挟み込んで、ソケット１０を確実に固定できる。
【００１７】
受金部１１は、ＬＥＤランプ５０の口金部６０が押し当てられる円板形の受板１１ａを備える。この受板１１ａは、例えばＰＢＴ、ＰＥ、ＰＶＣあるいはＡＢＳ等の合成樹脂よりなり、ＬＥＤランプ５０の口金部６０に設けられた一対の棒状電極、受金制限突起をそれぞれ受け入れる電極穴１１ｂ、受穴１１ｃと、口金制限突条１１ｄとが形成されている。受板１１ａはＬＥＤランプ５０の口金部６０によって押圧されると後退できるように、裏側から弾性体等によって付勢支持されている。そのため、交換前の蛍光管ランプ用給電ソケットと、交換後のＬＥＤランプ用給電ソケットとで、ソケット固定板３０に対する固定位置が少々前後していても、その違いを受板１１ａの前後移動によって相殺でき、改造後の照明器具４０にＬＥＤランプ５０が取り付けられないという問題が生じ難い。この点から、受板１１ａの可動範囲は充分確保しておくとよい。
【００１８】
なお受金制限突起は、この突起を受け入れる受穴１１ｃがない蛍光管ランプ用給電ソケットへの誤装着を防止するためのＬＥＤランプ側の手段であり、口金制限突条１１ｄは、この突条を受け入れる受溝がない蛍光管ランプの誤装着を防止するためのＬＥＤランプ用給電ソケット側の手段である。
【００１９】
本体部１２は、長方形輪郭の一短辺が丸められた板状の殻体であって、受金部１１と同様に合成樹脂よりなり、その表裏２面の一方を正面として、この正面の上部には受金部１１が固定され、更に、正面の下部には電源線挿入穴１２ａが設けられている。本体部１２の上端面は受金部１１の輪郭に沿って半円柱状に形成されている。本体部１２の基部側、すなわち下端面に近い部分の両側面には、アタッチメント２０を嵌入固定するための嵌合凹所（アタッチメント嵌合凹所）１３が側面を横断する溝状に形成されている。
【００２０】
図２（ａ）、（ｂ）に、アタッチメントが装着されていない状態の本体部を示す。嵌合凹所１３は、照明器具４０のソケット固定板３０に対応させて、つまりソケット１０が照明器具４０のソケット固定板３０に取り付けられたときの、ソケット固定板３０の表面から受金部１１まで距離等を勘案して、その位置等が設定されている。嵌合凹所１３の横断面は矩形状になっているが、溝の底面に対面する開口面は、アタッチメント２０の脱落を防止するために、底面よりも幅が狭くなっている。
【００２１】
嵌合凹所１３の終端、すなわち本体部１２の表面側には、アタッチメント２０を受け止めるストッパー部１３ａが設けられている。
【００２２】
図３に、嵌合凹所に対するアタッチメントの装着方法を示し、更に図４−図７には、嵌合凹所に対して着脱、交換可能に嵌入されるアタッチメントの例を示す。特に本発明では、照明器具に最初から取り付けられている蛍光管ランプ用給電ソケットを置換する際に共通に使用できるＬＥＤランプ用給電ソケットを提供することを目的としている。そのため図４−図７にそれぞれ示したアタッチメント２０では、その形状やスリット溝２１の幅が互いに異なっている。
【００２３】
これらのアタッチメント２０はいずれも本体部１２の裏面側から嵌合凹所１３の長手方向に沿って嵌入される後方差込式のものであり、本体部１２に形成された嵌合凹所１３に合致する長さおよび横断面を有する固定部２０ａと、嵌合凹所１３に嵌入されたときに、嵌合凹所１３の長手方向の開口部から突出する（少なくとも露出する）突出部２０ｂとを備えている。なお、アタッチメント２０は、本体部１２の表面側から嵌合凹所１３に嵌入される前方差込式としてもよい。
【００２４】
突出部２０ｂの端面には、ソケット固定板３０を挟み込むスリット溝２１が長手方向に形成されている。なお、これらのアタッチメント２０は、固定部２０ａの長さや形状等の基本構造は共通しているが、スリット溝２１の幅、嵌合凹所１３から突出部２０ｂが突出する高さは互いに異なる。
【００２５】
アタッチメント２０の先端側、すなわちアタッチメント２０が本体部１２に装着されたときに表面側にくる端部には、嵌合凹所１３に設けられたストッパー部１３ａの間隙に適合する突出面２０ｃが形成されている。
【００２６】
またアタッチメント２０の固定部２０ａの両側面には、細く低い突条２０ｄが長手方向にそれぞれ形成されている。この突条２０ｄは、アタッチメント２０を嵌合凹所１３に嵌入させる際の初期の滑り具合を滑らかにするとともに、アタッチメント２０が嵌合凹所１３に深くまで嵌入されると、弾性変形を伴いながら嵌合凹所１３の側面に強く当接して摩擦力を生じさせ、アタッチメント２０の脱出を防止する。また、アタッチメント２０は、嵌合凹所１３の底面に対面する側が肉抜きされ、その前後両端にも上記と同様に細く低い突条２０ｄが形成されている。
【００２７】
固定部２０ａおよび嵌合凹所１３は、本体部１２の裏面側から表面側に向かうほど横断面が狭くなるように形成されており、アタッチメント２０が嵌合凹所１３の奥まで挿入されると、楔のような作用によって、アタッチメント２０と嵌合凹所１３との結合が強化される。
【００２８】
図８−図９に、これらのアタッチメントがそれぞれ装着された状態のソケットを示す。すなわち図８（ａ）のソケット１０には、図４に示したアタッチメント２０が用いられ、図８（ｂ）に示したソケット１０には、図５に示したアタッチメント２０が用いられ、図９（ａ）に示したソケット１０には、図６に示したアタッチメント２０が用いられ、図９（ｂ）に示したソケット１０には、図７に示したアタッチメント２０が用いられている。このようにスリット溝２１の幅や突出部２０ｂの形状を異ならせた複数種別のアタッチメント２０を予め用意しておけば、共通の本体部１２によって、対応可能なソケット固定板３０の厚み（ｄ１−ｄ４）や切欠き部３１の幅（ｗ１−ｗ４）が異なる複数のバリエーションを提供できる。
【００２９】
よって照明器具４０の改造現場では、アタッチメント２０を適宜選択して共通の本体部１２に組み合わせることによって、その照明器具４０に適合する、すなわちソケット固定板３０の厚みｄおよび切欠き部３１の横幅ｗに適合するソケット１０を得ることができる。そのため作業者は形状等が異なる何種類ものソケットを工事現場に持ち運ばなくて済むようになる。またソケット製造業者も、形状等が異なる何種類ものソケットを製造せずに済むので、ソケットの製造コストも抑えられる。
【００３０】
図１０に、本発明によるＬＥＤランプ用給電ソケットの別の実施形態を示す。
【００３１】
この実施形態は、特に本体部１２に対するアタッチメント２０の取付方法が図１−図９に示した後方差込式とは異なっている。すなわちこのソケット１０は、横差込式のものであって、図１０（ａ）に示すように、アタッチメント２０が嵌合凹所１３に対して側方から、つまり本体部１２の側面に対して垂直に嵌入されるようになっている。アタッチメント２０の両側面には位置決め凸部２０ｅが形成され、それらの位置決め凸部２０ｅに対応して、嵌合凹所１３の両側面に受け凹部１３ｂが形成されている。図１０（ｂ）は、アタッチメント２０が装着された状態のソケットを示している。
【００３２】
もちろんこの実施形態でも、上記実施形態と同様に、アタッチメント２０は着脱可能な交換式であって、スリット溝２１の幅、嵌合凹所１３から突出部２０ｂが突出する高さが互いに異なる複数種別のアタッチメント２０が用意される。
【００３３】
図１１に、本発明によるＬＥＤランプ用給電ソケットの更に別の実施形態を示す。
【００３４】
この実施形態は、特にアタッチメント２０の形状が図１−図９に示した実施形態とは異なっている。すなわち図１１（ａ）に示すように、上記実施例では一対として使用されていたアタッチメント２０が連結部を介して「コ」字状に一体化されている。このような一体型のアタッチメント２０に対応して、本体部１２は、その背面および両側面に連続した嵌合凹所１３が形成されている。アタッチメント２０は、ソケット１０の裏面側から嵌合凹所１３に嵌入され、ソケット１０の基部の３方の周囲を取り囲むようにして装着される。他の構成要素は上記実施形態と共通なので、それらには同一の参照符号を付けて説明を省略する。図１１（ｂ）は、アタッチメント２０が装着された状態のソケット１０を示している。このようにアタッチメント２０を一体型とすれば、一対のアタッチメント２０の片側を紛失するという問題も解消される。
【００３５】
もちろんこの実施形態でも、上記実施形態と同様に、この嵌合凹所１３に対して着脱可能に装着でき、かつスリット溝２１の幅、嵌合凹所１３から突出部２０ｂが突出する高さが互いに異なる複数種別のアタッチメント２０が用意される。なおこの実施形態では、アタッチメント２０は、ソケット１０の裏面側から嵌合凹所１３に嵌入される後方差込式としているが、ソケット１０の表面側から嵌合凹所１３に嵌入される前方差込式としても構わない。
【００３６】
なお、上記各実施形態で示したソケット１０はいずれも共通した形状の受金部１１を用いているが、この形状のみに制限されるわけではない。
【００３７】
図１２に、他の形状の受金部を用いたソケットの例を示す。図１２（ａ）に示したソケット１０は、受金部１１に２つの口金制限突条１１ｄが設けられている点が、図１−図３、図８、図９に示したソケット１０とは異なっている。
【００３８】
また図１２（ｂ）に示したソケット１０は、受金部１１が口金制限突条１１ｄを備えない点で、図１−図３、図８、図９に示したソケット１０とは異なっている。また受穴１１ｃの形状も、図１−図３、図８、図９に示したソケット１０の受金部１１とは異なっている。
【００３９】
例えば、図１−図３、図８、図９に示したソケット１０は、ＬＥＤランプ５０に直流電源を供給する直流用ソケットとして、図１２（ａ）に示したソケット１０は、ＬＥＤランプ５０に交流電源を供給する交流用ソケットとして、図１２（ｂ）に示したソケット１０は、ＬＥＤランプ５０を接地するための接地用ソケットとして、それぞれの用途を決めるとよい。例えば、受金部１１の口金制限突条１１ｄの有無によって、図１２（ａ）は給電用ソケットの給電側、図１２（ｂ）は給電用ソケットのアース側として使用すれば装着ミスを防止できる。
【００４０】
以上の各実施形態では、本発明を、従来のＧ１３型口金を有した直管形蛍光管ランプの代替品とされるＬＥＤランプに対応したソケットについて説明した。
【００４１】
しかしながら本発明は、Ｇ１３型以外の口金を有した直管形蛍光管ランプの代替品とされるＬＥＤランプに対応したソケットでも実施できる。
【００４２】
図１３に、そのような変形例を示す。このソケット１０は、Ｒ１７ｄ型口金を有した直管形蛍光管ランプの代替品とされるＬＥＤランプ（図示なし）の両端に設けられた口金部の一方に適合する受金部１１と、この受金部１１が固定された本体部１２と、ソケット固定板３０の厚みに応じたスリット溝２１が形成されたアタッチメント２０とを備えている。図１−図３、図８、図９に示したソケット１０との主な相違点は、受金部１１の形状と、本体部１２の形状である。
【００４３】
受金部１１は、上部を弦とした円板形の受板１１ａを備える。受板１１ａは例えばＰＢＴ、ＰＥ、ＰＶＣあるいはＡＢＳ等の合成樹脂よりなり、ＬＥＤランプの口金部によって押圧されると後退できるように、裏側から弾性体等によって付勢支持されている。受板１１ａには、ＬＥＤランプの口金部に設けられた電極凸部（図示なし）を受け入れる電極凹部１１ｅが形成されている。電極凹部１１ｅの内部には、一対の電極片１１ｈを設けた柱状片１１ｆと、この柱状部１１ｆを電極凹部１１ｅの周壁に連結する連結片１１ｇとが設けられている（図１７参照）。
【００４４】
本体部１２は、肘掛のない座椅子のような形状であって、受金部１１と同様に合成樹脂よりなり、座椅子の背もたれに相当する部分の正面上部に受金部１１が固定され、この部分の上端面は、受金部１１の受板１１ａの輪郭に合わせて半円柱状に形成されている。また座椅子の座部に相当する部分、すなわち本体部１２の基部の裏側には電源線挿入穴（図示なし）が設けられている。本体部１２の基部の両側面には、嵌合凹所１３が側面を横断するように形成されている。
【００４５】
図１４に、嵌合凹所に対するアタッチメントの装着方法を示す。図１３、図１４に示したアタッチメント２０は、本体部１２の裏面側から嵌合凹所１３に嵌入される後方差込式のものであって、嵌合凹所１３に合致する長さおよび横断面を有する固定部２０ａと、嵌合凹所１３に嵌入されたときに、嵌合凹所１３の長手方向の開口部から突出する（少なくとも露出する）突出部２０ｂとを備えている。なお、アタッチメント２０は、本体部１２の表面側から嵌合凹所１３に嵌入される前方差込式のものであっても構わない。
【００４６】
この実施形態でも、図１−図９で説明した実施形態と同様に、嵌合凹所１３に着脱可能に装着でき、かつスリット溝２１の幅、嵌合凹所１３から突出部２０ｂが突出する高さが互いに異なる複数種別のアタッチメント２０が用意される。
【００４７】
図１５に、横差込式としたアタッチメントを示す。図１５（ａ）はアタッチメント２０を本体部１２に装着する前の状態、図１５（ｂ）はアタッチメント２０を本体部１２に装着する前の状態である。
【００４８】
アタッチメント２０の両側面には位置決め凸部２０ｅが２カ所ずつ形成され、それらの位置決め凸部２０ｅに対応して、嵌合凹所１３の両側面に受け凹部１３ｂが２カ所ずつ形成されている。もちろんこの場合でも、この嵌合凹所１３に着脱可能に装着でき、かつスリット溝２１の幅、嵌合凹所１３から突出部２０ｂが突出する高さが互いに異なる複数種別のアタッチメント２０が用意される。
【００４９】
図１６に、一体型としたアタッチメントを示す。図１６（ａ）はアタッチメント２０を本体部１２に装着する前の状態、図１６（ｂ）はアタッチメント２０を本体部１２に装着する前の状態である。アタッチメント２０は図１３に示した一対のものを、「コ」字状に一体化している。もちろんこの場合でも、アタッチメント２０は、この嵌合凹所１３に対して交換可能に装着可能であり、かつスリット溝２１の幅、嵌合凹所１３から突出部２０ｂが突出する高さが互いに異なる複数種別のアタッチメント２０が用意される。
【００５０】
なおここでアタッチメント２０は、本体部１２の裏面側から嵌合凹所１３に嵌入される後方差込式としているが、本体部１２の表面側から嵌合凹所１３に嵌入される前方差込式としても構わない。
【００５１】
図１７に、他の形状の受金部を用いたソケットの例を示す。図１７（ａ）に示したソケット１０では、受金部１１において、電極片１１ｈを設けた柱状片１１ｆと電極凹部１１ｅの周壁とを連結する連結片１１ｇが２カ所設けられている点が、図１３−図１５に示したソケット１０とは異なっている。図１７（ｂ）に示したソケット１０は、受金部１１において連結片１１ｇの位置が、図１３−図１５に示したソケット１０とは異なっている。
【００５２】
例えば、受金部１１に形成した連結片１１ｇの位置の違いによって、図１３−図１５に示したソケット１０は、ＬＥＤランプに直流電源を供給する直流用給電側ソケットとして、図１７（ａ）に示したソケット１０は、ＬＥＤランプに交流電源を供給する交流用給電側ソケットとして、図１７（ｂ）に示したソケット１０は、ＬＥＤランプを接地するためのアース側ソケットとして、組み合わせることで、それぞれの用途を決めるとよい。
【００５３】
図１８は、本発明によるソケットを備えた照明器具の斜視図である。この照明器具４０は、細長い箱型の筐体（ベース）４１と、この筐体４１の両端にそれぞれ設けられたソケット固定板３０と、それぞれのソケット固定板３０に向かい合わせに固定された一対のソケット１０とを備えている。筐体４１の内部には電源装置４２が設けられており、この電源装置４２から導出された電源線４３が、ソケット１０まで導かれている。これらのソケット１０によって、直管形ＬＥＤランプ５０の両端の口金部６０が保持される。
【符号の説明】
【００５４】
１０      直管形ＬＥＤランプ用給電ソケット
１３      アタッチメント嵌合凹所
２０      アタッチメント
２１      スリット溝
３０      ソケット固定板
４０      照明器具
４１      ベース
【図１】
2014093232.tif 000003
【図２】
2014093232.tif 000004
【図３】
2014093232.tif 000005
【図４】
2014093232.tif 000006
【図５】
2014093232.tif 000007
【図６】
2014093232.tif 000008
【図７】
2014093232.tif 000009
【図８】
2014093232.tif 000010
【図９】
2014093232.tif 000011
【図１０】
2014093232.tif 000012
【図１１】
2014093232.tif 000013
【図１２】
2014093232.tif 000014
【図１３】
2014093232.tif 000015
【図１４】
2014093232.tif 000016
【図１５】
2014093232.tif 000017
【図１６】
2014093232.tif 000018
【図１７】
2014093232.tif 000019
【図１８】
2014093232.tif 000020